(57)【要約】【課題】入浴時のユーザの安否確認を迅速に行うことが可能なインターホンシステムを提供する。【解決手段】呼出の操作を行うための玄関子機２０と、玄関子機２０と通信可能に構成された第一居室親機３０Ａと、第一居室親機３０Ａと通信可能に構成されるとともに、入浴時のユーザの動作に基づいて安否確認信号を生成する操作スイッチ４０と、安否確認信号に基づいて警報を報知する親機スピーカ３２と、を備える。【選択図】図１
2018170650.tif 000002
【特許請求の範囲】
【請求項１】
呼出の操作を行うための玄関子機と、
前記玄関子機と通信可能に構成された居室親機と、
前記居室親機と通信可能に構成されるとともに、入浴時のユーザの動作に基づいて安否確認信号を生成する生成部と、
前記安否確認信号に基づいて警報を報知する報知部と、
を備える、
インターホンシステム。
【請求項２】
前記生成部は、洗面所、浴室更衣室、または浴室に設置される操作スイッチであり、
ユーザが前記操作スイッチを操作することに基づいて前記安否確認信号が生成される、
請求項１に記載のインターホンシステム。
【請求項３】
前記安否確認信号は、入浴開始信号と入浴終了信号とを含み、
前記報知部は、前記入浴開始信号から所定時間経過した場合には警報を報知するとともに、前記入浴開始信号から前記所定時間が経過する前に前記入浴終了信号が生成された場合には、前記報知部は警報を報知しない、
請求項１または請求項２に記載のインターホンシステム。
【請求項４】
前記所定時間は、前記居室親機で設定可能である、
請求項３に記載のインターホンシステム。
【請求項５】
前記生成部は、洗面所、浴室更衣室、または浴室に設置される人感センサであり、
前記人感センサがユーザの動作の有無を検知し、その検知結果に基づいて前記安否確認信号が生成される、
請求項１から請求項４のいずれか一項に記載のインターホンシステム。
【請求項６】
前記居室親機は、ユーザの住戸に設置される第一居室親機と、前記ユーザの住戸とは異なる住戸に設置されるとともに前記第一居室親機と通信可能に設けられた第二居室親機と、を有し、
前記報知部は、少なくとも前記第二居室親機に設けられている、
請求項１から請求項５のいずれか一項に記載のインターホンシステム。
【請求項７】
集合住宅の玄関に設置される集合玄関機と、
各住戸の玄関に設置される玄関子機と、
各住戸の居室に設置される居室親機と、
前記集合玄関機、前記玄関子機および前記居室親機の呼出動作を制御する制御機と、
を備え、
前記居室親機と通信可能に構成されるとともに、当該居室親機と同住戸内における入浴時のユーザの動作に基づいて安否確認信号を生成する生成部と、
前記安否確認信号に基づいて警報を報知する報知部と、
を有する、
インターホンシステム。
【請求項８】
管理室親機を更に備え、
前記制御機は、前記管理室親機を含む呼出動作を制御可能であり、
前記報知部は、前記管理室親機に設けられ、
前記安否確認信号が、前記ユーザの居室親機から前記制御機を介して前記管理室親機に送信されるように構成されている、
請求項７に記載のインターホンシステム。
【請求項９】
前記住戸のドアは電気錠を有し、
前記安否確認信号が前記管理室親機に送信されたことに伴って、前記電気錠は開錠される、
請求項８に記載のインターホンシステム。
【請求項１０】
前記電気錠の開錠状態は、前記居室親機で復旧の操作が行われるまで維持される、
請求項９に記載のインターホンシステム。
【請求項１１】
前記報知部は、公衆通信網を介して前記居室親機と通信可能な携帯端末に設けられている、
請求項１から請求項１０のいずれか一項に記載のインターホンシステム。
【発明の詳細な説明】
【技術分野】
【０００１】
本発明は、インターホンシステムに関する。
【背景技術】
【０００２】
近年、国内人口の急激な高齢化に伴い、老人の独居世帯や老夫婦世帯の数が急激に増加している。このような社会環境の変化に伴い、孤独死等の様々な社会問題が顕在化してきている。そこで、例えば、従来のインターホンシステムでは、居住者の安否確認機能が付加されたものが提案されている（例えば、特許文献１参照）。
【先行技術文献】
【特許文献】
【０００３】
【特許文献１】特開２０１２−１７５６６１号公報
【発明の概要】
【発明が解決しようとする課題】
【０００４】
従来のインターホンシステムでは、リビングに居る居住者の安否を見守ることは可能である。しかし、例えば居住者が高齢者の場合、体調が入浴中に急変することもあり得るが、従来のインターホンシステムでは、入浴時の居住者（ユーザ）の異常を補足しにくく、安否確認が遅れてしまう場合があった。
【０００５】
本発明の目的は、入浴時のユーザの安否確認を迅速に行うことが可能なインターホンシステムを提供することである。
【課題を解決するための手段】
【０００６】
本発明にかかるインターホンシステムは、
呼出の操作を行うための玄関子機と、
前記玄関子機と通信可能に構成された居室親機と、
前記居室親機と通信可能に構成されるとともに、入浴時のユーザの動作に基づいて安否確認信号を生成する生成部と、
前記安否確認信号に基づいて警報を報知する報知部と、
を備える。
【０００７】
上記構成によれば、入浴時のユーザの動作に基づいて安否確認信号が生成され、この安否確認信号に基づいて報知部から報知される。このため、報知部からの警報が届く居室にいる同居者等は、入浴時のユーザの異常に気づきやすく、ユーザの安否確認を迅速に行いやすくなる。
【０００８】
本発明のインターホンシステムにおいて、
前記生成部は、洗面所、浴室更衣室、または浴室に設置される操作スイッチであり、
ユーザが前記操作スイッチを操作することに基づいて前記安否確認信号が生成されるようにしてもよい。
【０００９】
上記構成によれば、洗面所、浴室更衣室、または浴室に設置される操作スイッチによって、ユーザが自発的に安否確認信号を生成することができる。このため、体調の異変を自覚したユーザが自発的に安否確認信号を生成することができ、安否確認機能の利便性が向上するとともに、ユーザの安否確認を迅速に行いやすくなる。
【００１０】
本発明のインターホンシステムにおいて、
前記安否確認信号は、入浴開始信号と入浴終了信号とを含み、
前記報知部は、前記入浴開始信号から所定時間経過した場合には警報を報知するとともに、前記入浴開始信号から前記所定時間が経過する前に前記入浴終了信号が生成された場合には、前記報知部は警報を報知しないようにしてもよい。
【００１１】
上記構成によれば、所定時間を適切に設定することで迅速に警報を報知することができるとともに、不要な警報の報知を減らすことができる。
【００１２】
本発明のインターホンシステムにおいて、
前記所定時間は、前記居室親機で設定可能としてもよい。
【００１３】
上記構成によれば、ユーザが任意で所定時間を設定することができるため、安否確認機能の利便性が向上する。
【００１４】
本発明のインターホンシステムにおいて、
前記生成部は、洗面所、浴室更衣室、または浴室に設置される人感センサであり、
前記人感センサがユーザの動作の有無を検知し、その検知結果に基づいて前記安否確認信号が生成されるようにしてもよい。
【００１５】
上記構成によれば、洗面所、浴室更衣室、または浴室に設置される人感センサによって、ユーザの動作の有無が検知される。このように、ユーザが特別の操作を行うことなく、入浴時のユーザの異常を自動的に補足することができるため、安否確認機能の利便性が向上するとともに、ユーザの安否確認を迅速に行いやすくなる。
【００１６】
本発明のインターホンシステムにおいて、
前記居室親機は、ユーザの住戸に設置される第一居室親機と、前記ユーザの住戸とは異なる住戸に設置されるとともに前記第一居室親機と通信可能に設けられた第二居室親機と、を有し、
前記報知部は、少なくとも前記第二居室親機に設けられていてもよい。
【００１７】
上記構成によれば、入浴時のユーザの異常を他の住戸の居住者（ユーザの家族、知人、医療関係者など）に迅速に報知することができる。このため、安否確認機能の利便性が向上するとともに、ユーザの安否確認を迅速に行いやすくなる。
【００１８】
本発明のインターホンシステムにおいて、
集合住宅の玄関に設置される集合玄関機と、
各住戸の玄関に設置される玄関子機と、
各住戸の居室に設置される居室親機と、
前記集合玄関機、前記玄関子機および前記居室親機の呼出動作を制御する制御機と、
を備え、
前記居室親機と通信可能に構成されるとともに、当該居室親機と同住戸内における入浴時のユーザの動作に基づいて安否確認信号を生成する生成部と、
前記安否確認信号に基づいて警報を報知する報知部と、
を有するものでもよい。
【００１９】
上記構成によれば、入浴時のユーザの動作に基づいて安否確認信号が生成され、この安否確認信号に基づいて報知部から報知される。このため、報知部からの警報が届く居室にいる同居者等は、入浴時のユーザの異常に気づきやすく、ユーザの安否確認を迅速に行いやすくなる。
【００２０】
本発明のインターホンシステムにおいて、
管理室親機を更に備え、
前記制御機は、前記管理室親機を含む呼出動作を制御可能であり、
前記報知部は、前記管理室親機に設けられ、
前記安否確認信号が、前記ユーザの居室親機から前記制御機を介して前記管理室親機に送信されるように構成されていてもよい。
【００２１】
上記構成によれば、管理室親機が設置される部屋（管理人室など）に居る管理人等に対して、入浴時のユーザの異常を知らせることができ、ユーザの安否確認を迅速に行いやすくなる。
【００２２】
本発明のインターホンシステムにおいて、
前記住戸のドアは電気錠を有し、
前記安否確認信号が前記管理室親機に送信されたことに伴って、前記電気錠は開錠されるようにしてもよい。
【００２３】
上記構成によれば、ユーザの安否確認のために住戸まで駆けつけた管理人等がスムーズに住戸内に入り安否確認を行うことができる。
【００２４】
本発明のインターホンシステムにおいて、
前記電気錠の開錠状態は、前記居室親機で復旧の操作が行われるまで維持されるようにしてもよい。
【００２５】
上記構成によれば、居室親機で復旧の操作が行われるまで維持されるため、救急隊等もスムーズに住戸内に入り救護活動を行うことができる。
【００２６】
本発明のインターホンシステムにおいて、
前記報知部は、公衆通信網を介して前記居室親機と通信可能な携帯端末に設けられていてもよい。
【００２７】
上記構成によれば、入浴時のユーザの異常を外出中のユーザの家族、知人、医療関係者などに迅速に報知することができる。このため、安否確認機能の利便性が向上するとともに、ユーザの安否確認を迅速に行いやすくなる。
【発明の効果】
【００２８】
本発明によれば、入浴時のユーザの安否確認を迅速に行うことが可能なインターホンシステムを提供することができる。
【図面の簡単な説明】
【００２９】
【図１】本発明の第１実施形態を示すインターホンシステムの概略構成図である。
【図２】インターホンシステムの構成を説明する図であって、（ａ）は玄関子機の概略ブロック図、（ｂ）は第一居室親機の概略ブロック図である。
【図３】本発明の第２実施形態を示すインターホンシステムの概略構成図である。
【発明を実施するための形態】
【００３０】
以下、本実施形態の一例について、図面を参照して説明する。
（第１実施形態）
図１に示すように、インターホンシステム１は、玄関子機２０と、第一居室親機３０Ａと、第二居室親機３０Ｂとを備えている。図１は、一戸建て住戸Ｊに設置されたインターホンシステム１を示している。住戸Ｊは、二世帯住宅であり、１階は第一世帯の第一住戸ＪＡであり、２階は第二世帯の第二住戸ＪＢである。また、インターホンシステム１は、１階の第一住戸ＪＡにおける入浴施設Ｂｒに設けられた操作スイッチ（生成部の一例）４０及び人感センサ（生成部の一例）５０を備えている。玄関子機２０と第一居室親機３０Ａ及び第二居室親機３０Ｂとの間、第一居室親機３０Ａと第二居室親機３０Ｂとの間は、それぞれ信号線Ｌを介して通信可能に構成されている。また、操作スイッチ４０及び人感センサ５０は、第一住戸ＪＡに設置された第一居室親機３０Ａに接続されている。
【００３１】
玄関子機２０は、住戸Ｊの玄関に設置されて、居住者を呼び出して通話するために用いられる。第一居室親機３０Ａは、第一住戸ＪＡの居室内に設置され、第二居室親機３０Ｂは、第二住戸ＪＢの居室内に設置されて、玄関子機２０からの呼び出しに対して応答するために用いられる。
【００３２】
図２（ａ）に示すように、玄関子機２０は、玄関マイク２１、玄関スピーカ２２、呼出ボタン２３、カメラ２４、玄関子機ＣＰＵ２５及び玄関子機通信インターフェース２７を備えている。玄関子機２０は、各住戸ＪＡ，ＪＢの居室内に在宅中の居住者を呼び出す際に、来訪者が所定の呼出操作を行うためのものであり、住戸Ｊの玄関における外壁面等に設けられている。なお、玄関子機２０は、各住戸ＪＡ，ＪＢ毎に設置した構成としてもよい。
【００３３】
玄関マイク２１及び玄関スピーカ２２は、来訪者が居住者との間で通話をする際に、音声を入出力するためのものである。呼出ボタン２３は、来訪者が居住者を呼び出すための呼出操作を行う際に来訪者によって操作される部分である。呼出ボタン２３は、第一居室親機３０Aに対して呼出操作を行うものと、第二居室親機３０Ｂに対して呼出し操作を行うものの二つ設けられている。カメラ２４は、呼出操作を行う来訪者を撮影するためのものである。
【００３４】
玄関マイク２１、玄関スピーカ２２、呼出ボタン２３及びカメラ２４は、玄関子機ＣＰＵ２５に接続されている。玄関子機ＣＵＰ２５には、玄関マイク２１からの音声信号及びカメラ２４からの映像信号が送信され、また、呼出ボタン２３で操作されることで呼出ボタン２３から入力信号が送信される。また、玄関子機ＣＰＵ２５は、玄関スピーカ２２へ音声信号を出力する。玄関子機ＣＰＵ２５は、玄関子機２０を制御する。玄関子機ＣＰＵ２５には、玄関子機通信インターフェース２７が接続されており、これにより、玄関子機２０は、玄関子機通信インターフェース２７を介して玄関子機ＣＰＵ２５が第一居室親機３０Ａまたは第二居室親機３０Ｂとの間で信号の送受信を行う。
【００３５】
図２（ｂ）に示すように、第一居室親機３０Ａは、親機マイク３１、親機スピーカ（報知部の一例）３２、親機操作部３３、親機表示部３４、居室親機ＣＰＵ３５、タイマー３６及び居室親機通信インターフェース３７を備えている。第一居室親機３０Ａは、玄関子機２０からの来訪者による呼出に応答するためのものであり、住戸ＪＡにおける壁面等に設けられている。
【００３６】
親機マイク３１及び親機スピーカ３２は、居住者が来訪者との間で通話をする際に、音声を入出力するためのものである。親機操作部３３は、居住者によって操作される部分である。この親機操作部３３は、玄関子機２０からの呼出へ応対するための応対操作を受け付ける。例えば、親機操作部３３を操作することで、玄関子機２０からの呼出に応対すべく、来訪者との間での通話を可能としたり、エントランスの扉を開放する解除操作が行われる。親機表示部３４は、玄関子機２０のカメラ２４で撮影された来訪者の映像を表示するためのものである。この親機表示部３４は、タッチパネルからなるもので、この親機表示部３４の一部も親機操作部３３を構成している。
【００３７】
親機マイク３１、親機スピーカ３２、親機操作部３３、親機表示部３４及びタイマー３６は、居室親機ＣＰＵ３５に接続されている。居室親機ＣＵＰ３５には、親機マイク３１からの音声信号が送信され、また、居室親機ＣＰＵ３５には、親機操作部３３で操作されることで親機操作部３３から入力信号が送信される。また、居室親機ＣＰＵ３５は、親機スピーカ３２へ音声信号を出力し、親機表示部３４へ映像信号を出力する。居室親機ＣＰＵ３５は、第一居室親機３０Ａを制御する。居室親機ＣＰＵ３５には、居室親機通信インターフェース３７が接続されており、これにより、第一居室親機３０Ａは、居室親機通信インターフェース３７を介して居室親機ＣＰＵ３５が玄関子機２０との間で信号の送受信を行う。
【００３８】
また、居室親機通信インターフェース３７は、通信ネットワークであるインターネット（公衆通信網）Ｉｎにも接続されており、インターネットＩｎを介した通信が可能とされている。居住者は、所有する携帯電話やスマートフォン等の携帯端末６０の電話番号を第一居室親機３０Ａに登録しておくことで、インターネットＩｎを介して、第一居室親機３０Ａと通信可能とされる。
【００３９】
第二居室親機３０Ｂは、玄関子機２０からの来訪者による呼出に応答するためのものであり、住戸ＪＢにおける壁面等に設けられている。なお、第二居室親機３０Ｂは、第一居室親機３０Ａと略同一構成であるので、第二居室親機３０Ｂの構成の説明は省略する。
【００４０】
１階の第一住戸ＪＡにおける入浴施設Ｂｒに設けられた操作スイッチ４０及び人感センサ５０は、例えば、入浴施設Ｂｒにおける洗面所、更衣室または浴室に設置される。操作スイッチ４０は、居住者によって操作されるもので、居住者によって操作されることで安否確認信号を生成し、その安否確認信号を第一居室親機３０Ａに送信する。
【００４１】
操作スイッチ４０には、警報ボタン、入浴開始ボタン及び入浴終了ボタンが設けられている。操作スイッチ４０は、警報ボタンが押下されることで、安否確認信号を生成して第一居室親機３０Ａに送信する。また、操作スイッチ４０は、入浴開始ボタンが押下されると、安否確認信号である入浴開始信号を生成して第一居室親機３０Ａに送信し、入浴終了ボタンが押下されると、安否確認信号である入浴終了信号を生成して第一居室親機３０Ａに送信する。
【００４２】
人感センサ５０は、入浴施設Ｂｒにおける居住者の有無を検知することで安否確認信号を生成し、その安否確認信号を第一居室親機３０Ａに送信する。また、人感センサ５０には、浴室のドアの開閉を検知する浴室ドア開閉検知スイッチをセンサとして備えている。
【００４３】
上記構成のインターホンシステム１では、来訪者が玄関子機２０の呼出ボタン２３を押下して第一居室親機３０Ａに対して呼出操作すると、第一居室親機３０Ａにおいて、親機スピーカ３２から呼出音が報知される。したがって、第一住戸ＪＡの居住者は、来訪者の存在を認識し、必要に応じて第一居室親機３０Ａを操作して来訪者の呼出に対応する。
【００４４】
同様に、来訪者が玄関子機２０の呼出ボタン２３を押下して第二居室親機３０Ｂに対して呼出操作すると、第二居室親機３０Ｂにおいて、親機スピーカ３２から呼出音が報知される。したがって、第二住戸ＪＢの居住者は、来訪者の存在を認識し、必要に応じて第二居室親機３０Ｂを操作して来訪者の呼出に対応する。
【００４５】
また、信号線Ｌを介して通信可能とされた第一居室親機３０Ａ及び第二居室親機３０Ｂは、双方での呼出が可能とされている。これらの第一居室親機３０Ａ及び第二居室親機３０Ｂは、親機操作部３３がお互いの呼出に応対するための応対操作を受け付ける。例えば、親機操作部３３を操作することで、第一住戸ＪＡの居住者と第二住戸ＪＢの居住者との間での通話が可能とされている。
【００４６】
さらに、上記構成のインターホンシステム１は、居住者の入浴直前から入浴直後を含む入浴時における体調の急変等の異常を報知する入浴時安否確認機能を備えている。
【００４７】
次に、このインターホンシステム１における入浴時安否確認機能について説明する。
（自発的な安否確認）
第一住戸ＪＡの居住者は、入浴時に体調の異変を自覚した場合、入浴施設Ｂｒに設置された操作スイッチ４０の警報ボタンを自発的に押下する。すると、操作スイッチ４０において安否確認信号が生成され、この安否確認信号が第一居室親機３０Ａへ送信される。また、この安否確認信号は、第一居室親機３０Ａから第二居室親機３０Ｂにも送信される。
【００４８】
すると、第一居室親機３０Ａ及び第二居室親機３０Ｂでは、入浴施設Ｂｒで居住者に異常が生じたことを、第一住戸ＪＡにおける同居者及び第二住戸ＪＢの居住者へ知らせるべく、親機スピーカ３２へ警報信号を出力し、親機スピーカ３２から警報を報知させる。
【００４９】
（入浴時間による安否確認）
第一住戸ＪＡの居住者は、入浴する際に、入浴施設Ｂｒに設置された操作スイッチ４０の入浴開始ボタンを押下する。すると、操作スイッチ４０において、安否確認信号である入浴開始信号が生成されて第一居室親機３０Ａに送信される。
【００５０】
第一居室親機３０Ａは、入浴開始信号が送信されると、タイマー３６を作動させて時間の計測を開始する。第一居室親機３０Ａは、入浴開始信号の送信から予め設定された所定時間経過したか否かを判定する。
【００５１】
第一居室親機３０Ａは、入浴開始信号の送信から所定時間経過した場合に、親機スピーカ３２へ警報信号を送信して警報を報知させる。また、第一居室親機３０Ａは、第二居室親機３０Ｂにも警報信号を送信して第二居室親機３０Ｂの親機スピーカ３２から警報を報知させる。これにより、第一住戸ＪＡにおける同居者及び第二住戸ＪＢの居住者は、入浴施設Ｂｒで入浴者に異常が生じているおそれがあることを警報によって認識できる。
【００５２】
また、入浴開始信号の送信から所定時間経過する前に操作スイッチ４０の入浴終了ボタンが押下された場合、操作スイッチ４０において、安否確認信号である入浴終了信号が生成されて第一居室親機３０Ａに送信される。すると、第一居室親機３０Ａは、タイマー３６による時間計測を終了させる。これにより、第一居室親機３０Ａ及び第二居室親機３０Ｂからの警報の報知は行われない。
【００５３】
なお、所定時間は、居住者によって第一居室親機３０Ａの親機操作部３３から任意に設定することができる時間であり、例えば、自身の通常時の入浴時間（例えば、１０分）を設定する。すると、第一居室親機３０Ａでは、入浴開始信号の送信から設定した所定時間（例えば、１０分）のカウントを開始することとなる。また、第一居室親機３０Ａにおける入浴の時間の計測は、入浴を行う居住者が親機操作部３３を操作することで開始してもよい。
【００５４】
（人感センサによる安否確認）
入浴施設Ｂｒに設置された人感センサ５０は、居住者が入浴を開始すると入浴時の居住者の動作の有無を検知する。そして、人感センサ５０は、その検知信号に基づいて、安否確認信号を生成する。
【００５５】
例えば、入浴している居住者に異常が生じて浴室内で動かなくなると、人感センサ５０によって居住者の動作が検知されなくなる。すると、人感センサ５０において安否確認信号が生成され、この安否確認信号が第一居室親機３０Ａへ送信される。また、この安否確認信号は、第一居室親機３０Ａから第二居室親機３０Ｂにも送信される。
【００５６】
すると、第一居室親機３０Ａ及び第二居室親機３０Ｂでは、入浴施設Ｂｒで居住者に異常が生じたことを、第一住戸ＪＡにおける同居者及び第二住戸ＪＢの居住者へ知らせるべく、親機スピーカ３２へ警報信号を出力して親機スピーカ３２から警報を報知させる。
【００５７】
ところで、居住者が入浴を終えて浴室から退出した場合も人感センサ５０によって居住者の動作が検知されなくなる。したがって、人感センサ５０は、補助のセンサである浴室ドア開閉検知スイッチからの信号によって浴室のドアが開閉されたことが検知された場合には、居住者の動作の検知がなくても安否確認信号を生成しない。これにより、居住者が通常通りに入浴を終えて浴室から退室した場合における誤警報が抑制される。
【００５８】
以上、説明したように、本実施形態に係るインターホンシステム１によれば、居住者であるユーザの入浴時の動作に基づいて安否確認信号が生成され、この安否確認信号に基づいて親機スピーカ３２から報知される。このため、親機スピーカ３２からの警報が届く居室にいる同居者等は、入浴時のユーザの異常に気づきやすく、ユーザの安否確認を迅速に行いやすくなる。
【００５９】
例えば、洗面所、浴室更衣室、または浴室に設置される操作スイッチ４０によって、ユーザが自発的に安否確認信号を生成することができる。このため、体調の異変を自覚したユーザが自発的に安否確認信号を生成することができ、安否確認機能の利便性が向上するとともに、ユーザの安否確認を迅速に行いやすくなる。
【００６０】
また、入浴開始信号から所定時間経過した場合に警報を報知するとともに、入浴開始信号から所定時間が経過する前に入浴終了信号が生成された場合に報知しない。したがって、所定時間を適切に設定することで迅速に警報を報知することができるとともに、不要な警報の報知を減らすことができる。
【００６１】
そして、この所定時間は、第一居室親機３０Ａで設定可能であるので、ユーザが任意で所定時間を設定することができ、安否確認機能の利便性が向上する。
【００６２】
また、本実施形態に係るインターホンシステム１では、洗面所、浴室更衣室、または浴室に設置される人感センサ５０によって、ユーザの動作の有無が検知される。このように、ユーザが特別の操作を行うことなく、入浴時のユーザの異常を自動的に補足することができるため、安否確認機能の利便性が向上するとともに、ユーザの安否確認を迅速に行いやすくなる。
【００６３】
しかも、第一住戸ＪＡでの入浴時の異常時に第二居室親機３０Ｂにおいても警報されるので、入浴時のユーザの異常を他の住戸の居住者（ユーザの家族など）に迅速に報知することができる。このため、安否確認機能の利便性が向上するとともに、ユーザの安否確認を迅速に行いやすくなる。
【００６４】
なお、上記インターホンシステム１では、第一居室親機３０Ａが安否確認信号を受信すると、予め登録した携帯端末６０にも警報信号を送信する。これにより、携帯端末６０は、警報信号の受信により警報動作を行う。したがって、例えば、家族等は外出先においても携帯端末６０の警報動作から住戸ＪＡでの入浴時における異常の発生を確認できる。このように、携帯端末６０に警報動作させることで、入浴時のユーザの異常を外出中のユーザの家族、知人、医療関係者などに迅速に報知することができる。このため、安否確認機能の利便性が向上するとともに、ユーザの安否確認を迅速に行いやすくなる。
【００６５】
なお、入浴施設Ｂｒに通知装置を設けたり操作スイッチ４０に通知部を設けておき、警報の報知前に入浴者に確認メッセージを出して確認操作されるとタイマー３６がリセットするようにしてもよい。このようにすれば、異常の誤報を抑制できる。
【００６６】
また、上記実施形態では、二世帯住宅にインターホンシステム１を適用した場合を例示して説明したが、本発明のインターホンシステム１は、単世帯住宅や三世帯以上の多世帯住宅にも適用可能である。なお、多世帯住宅に適用する場合、自世帯の住戸での警報を行わず、他の世帯の住戸だけで警報を行うようにしてもよい。
【００６７】
なお、安否確認信号を生成する生成部としては、操作スイッチ４０や人感センサ５０に限らず、例えば、浴室ドアの開閉を検知するセンサや浴室の水道の蛇口の開閉を検知するセンサなどでもよい。
【００６８】
（第２実施形態）
次に、本発明に係るインターホンシステムを集合住宅に適用した場合について説明する。
【００６９】
図３は、複数の住戸Ｊを有する集合住宅に設置されたインターホンシステム１００を示している。インターホンシステム１００は、住戸Ｊごとに、玄関子機２０と、居室親機３０とを備えている。各住戸Ｊのドアは、居室親機３０に接続された電気錠Ｅｒを有している。
【００７０】
また、インターホンシステム１００は、集合玄関機１２０、管理室親機１３０及び制御機１５０を備えている。各住戸Ｊの居室親機３０、集合玄関機１２０、管理室親機１３０は信号線Ｌによって制御機１５０に接続されて通信可能とされている。集合玄関機１２０は、集合住宅の玄関（エントランス）に設置される。集合玄関機１２０は、来訪者が住戸Ｊを選択して居住者を呼び出して通話するために来訪者によって操作され、各住戸Ｊの居室親機３０では、集合玄関機１２０からの呼出に応答可能とされている。管理室親機１３０は、集合住宅の管理室に設置されており、管理人による居住者との通話を可能とする。制御機１５０は、各機器間の通信を制御するとともに、集合玄関機１２０、居室親機３０及び管理室親機１３０間の通信を制御するとともに、これらの機器の呼出動作を制御する。
【００７１】
次に、この集合住宅のインターホンシステム１００における入浴時安否確認機能について説明する。
【００７２】
（安否確認信号の生成）
この集合住宅のインターホンシステム１００においても、各住戸Ｊでは、居住者の入浴時における体調の急変等の異常に伴って、前述の自発的な安否確認、入浴時間による安否確認あるいは人感センサによる安否確認が行われる。これらの安否確認のいずれかにより安否確認信号が生成されると、この安否確認信号が居室親機３０へ送信される。
【００７３】
（居室親機での警報）
安否確認信号が居室親機３０へ送信されると、居室親機３０では、親機スピーカ３２から警報が報知される。これにより、親機スピーカ３２からの警報が届く居室にいる同居者等は、入浴施設Ｂｒで入浴時に居住者に異常が生じたことを警報によって把握することができる。このように、居室親機３０が警報を報知することで、同居者等は、入浴時の居住者であるユーザの異常に気づきやすく、ユーザの安否確認を迅速に行いやすくなる。
【００７４】
また、居室親機３０は、安否確認信号を受信すると、予め登録した携帯端末６０にも警報信号を送信する。これにより、携帯端末６０は、警報信号の受信により警報動作を行う。したがって、例えば、家族等は外出先においても携帯端末６０の警報動作から住戸Ｊでの入浴時における異常の発生を確認できる。
【００７５】
（管理室親機での警報）
居室親機３０へ送信された安否確認信号は、ユーザの居室親機３０から制御機１５０を介して管理室親機１３０に送信される。すると、管理室親機１３０では、スピーカ（図示略）から警報が報知される。これにより、管理室親機１３０が設置される部屋（管理人室など）に居る管理人等に対して、入浴時のユーザの異常を知らせることができ、ユーザの安否確認を迅速に行いやすくなる。また、制御機１５０は、各住戸Ｊの居室ＩＤを有しており、安否確認信号の送信元の住戸Ｊの情報とともに安否確認信号を管理室親機１３０に送信する。これにより、管理室親機１３０では、安否確認信号の送信元の住戸Ｊが表示される。したがって、管理人等は、どこの住戸Ｊで異常が生じているかを把握してユーザの安否確認を迅速に行うことができる。
【００７６】
（電気錠の開錠）
安否確認信号が管理室親機１３０に送信されると、この安否確認信号の送信に伴って、制御機１５０が送信元の住戸Ｊの電気錠Ｅｒを開錠する。
【００７７】
これにより、ユーザの安否確認のために、安否確認信号の送信元の住戸Ｊまで駆けつけた管理人等がスムーズに該当する住戸Ｊ内に入って安否確認を行うことができる。
【００７８】
また、この安否確認信号の送信元の住戸Ｊの電気錠Ｅｒの開錠状態は、安否確認信号の送信元の住戸Ｊの居室親機３０の親機操作部３３で復旧の操作が行われるまで維持される。このため、安否確認信号の送信元の住戸Ｊ内へ救急隊等もスムーズに入り救護活動を行うことができる。
【００７９】
なお、集合住宅のインターホンシステム１００では、安否確認信号が生成されて居室親機３０等で警報が報知された時に、制御機１５０がエレベータコールをして、例えば、エレベータを１階へ移動させるようにしてもよい。このようにすると、救急隊等による安否確認信号の送信元の住戸Ｊへの迅速な対応が可能となる。
【符号の説明】
【００８０】
１，１００：インターホンシステム、２０：玄関子機、３０：居室親機、３０Ａ：第一居室親機（居室親機）、３０Ｂ：第二居室親機（居室親機）、３２：親機スピーカ（報知部）、４０：操作スイッチ（生成部）、５０：人感センサ（生成部）、６０：携帯端末、１２０：集合玄関機、１３０：管理室親機、１５０：制御機、Ｅｒ：電気錠、Ｉｎ：インターネット（公衆通信網）、Ｊ，ＪＡ，ＪＢ：住戸
【図１】
2018170650.tif 000003
【図２】
2018170650.tif 000004
【図３】
2018170650.tif 000005